(57)【要約】【課題】計測部位を計測に適した温度にして精度の高い計測を行うことができる生体関連情報計測装置を提供すること。【解決手段】本発明の一態様に係る生体関連情報計測装置は、被検体の計測部位に向けて所定波長の光を放出する発光部、および被検体を経由した光を受ける受光部を有する受発光部と、計測部位以外の非計測部位の温度を調整する温度調整部と、を備えたことを特徴とする。受発光部と温度調整部との間には断熱部が設けられていてもよい。温度調整部は、化学的反応により発熱する第１発熱体、電気的作用による発熱する第２発熱体、および蓄熱体の少なくともいずれかを有していてもよい。受発光部が配置される第１基体と、温度調整部が配置され、前記第１基体とは直接熱が伝導しないように空間または遮熱部材を介して設けられる第２基体と、をさらに備えていてもよい。【選択図】図１
2019063308.tif 000002
【特許請求の範囲】
【請求項１】
被検体の計測部位に向けて所定波長の光を放出する発光部、および前記被検体を経由した前記光を受ける受光部を有する受発光部と、
前記計測部位以外の非計測部位の温度を調整する温度調整部と、
を備えた生体関連情報計測装置。
【請求項２】
前記受発光部と前記温度調整部との間に設けられた断熱部をさらに備える、請求項１記載の生体関連情報計測装置。
【請求項３】
前記温度調整部は、化学的反応により発熱する第１発熱体、電気的作用による発熱する第２発熱体、および蓄熱体の少なくともいずれかを有する、請求項１または２に記載の生体関連情報計測装置。
【請求項４】
前記受発光部が配置される第１基体と、
前記温度調整部が配置され、前記第１基体とは直接熱が伝導しないように空間または遮熱部材を介して設けられる第２基体と、
をさらに備えた請求項１〜３のいずれか１つに記載の生体関連情報計測装置。
【請求項５】
前記第１基体は遮光性を有する材料で構成された、請求項４記載の生体関連情報計測装置。
【請求項６】
前記第１基体は前記計測部位を載置する凹部を有する、請求項４または５に記載の生体関連情報計測装置。
【請求項７】
前記凹部は、深くなるに従い狭くなるテーパ形状を有する、請求項６記載の生体関連情報計測装置。
【請求項８】
前記計測部位と前記受発光部との接触を検知する検知部をさらに備え、
前記温度調整部は前記検知部で前記接触を検知した際に温度調整を開始する、請求項１〜７のいずれか１つに記載の生体関連情報計測装置。
【請求項９】
前記受発光部は、前記温度調整部での温度調整が開始されてから一定時間経過後に前記光の受発光を開始する、請求項１〜８のいずれか１つに記載の生体関連情報計測装置。
【請求項１０】
前記受発光部による計測開始から計測終了までの所定の段階において、前記被検体に物理的作用を加える通知部をさらに備えた請求項１〜９のいずれか１つに記載の生体関連情報計測装置。
【発明の詳細な説明】
【技術分野】
【０００１】
本発明は、被検体の生体関連情報を推定する生体関連情報計測装置に関する。
【背景技術】
【０００２】
脈拍数等の生体関連情報を計測する装置として、計測部位に光（赤外線光など）を照射して、その反射光によって生体関連情報を取得する装置がある。光を用いることで被検体に過大な負荷を与えることなく、短時間で生体関連情報を得ることができる。
【０００３】
特許文献１には、生体の末梢循環状態を測定するための装置が開示される。この装置は、生体の所定部位を加温する加温装置と、生体の所定部位に装着されて加温装置による加温が開始されたときにその所定部位に対する血液の増加量を光学的に検出する血液増加量検出装置と、血液増加量検出装置により検出された血液の増加量の変化を所定の時間軸に沿って経時的にグラフ表示する血液増加量表示手段と、を含んでいる。
【０００４】
この装置によれば、加温装置によりその所定部位が加温され、血液増加量検出装置により光学的に検出された血液増加量の変化が所定の時間軸に沿って経時的にグラフ表示される。
【先行技術文献】
【特許文献】
【０００５】
【特許文献１】特開平１１−１０４１１３号公報
【発明の概要】
【発明が解決しようとする課題】
【０００６】
生体関連情報を取得するにあたり、計測部位の血流循環が自然な状態であることが望まれる。しかし、例えば計測部位が冷えていて血流循環が悪くなっていると、精度の高い計測を行うことが困難となる。その一方、計測部位を直接加温すると、計測部位が必要以上に昇温されるおそれがあり、自然な血流循環に近い状態で計測できないという問題が生じる。
【０００７】
本発明は、計測部位を自然な血流循環に近い状態にして精度の高い計測を行うことができる生体関連情報計測装置を提供することを目的とする。
【課題を解決するための手段】
【０００８】
本発明の一態様に係る生体関連情報計測装置は、被検体の計測部位に向けて所定波長の光を放出する発光部、および被検体を経由した光を受ける受光部を有する受発光部と、計測部位以外の非計測部位の温度を調整する温度調整部と、を備えたことを特徴とする。
【０００９】
このような構成によれば、温度調整部による温度調整が計測部位に直接行われず、非計測部位に行われる。これにより、非計測部位の温度調整によって間接的に計測部位の温度調整が行われ、計測部位の自然な血流循環を得られるようになる。
【００１０】
上記生体関連情報計測装置において、受発光部と温度調整部との間に設けられた断熱部をさらに備えていてもよい。これにより、受発光部に近い計測部位と、温度調整が行われる非計測部位とが接近していても、温度調整部から計測部位へ直接熱が伝わることを阻止することができる。
【００１１】
上記生体関連情報計測装置において、温度調整部は、化学的反応により発熱する第１発熱体、電気的作用により発熱する第２発熱体、および蓄熱体の少なくともいずれかを有していてもよい。これにより、化学的反応、電気的作用、蓄熱の少なくともいずれかによって非計測部位の温度調整をすることができる。
【００１２】
上記生体関連情報計測装置において、受発光部が配置される第１基体と、温度調整部が配置され、第１基体とは直接熱が伝導しないように空間または遮熱部材を介して設けられる第２基体と、をさらに備えていてもよい。これにより、第１基体に配置される受発光部と、第２基体に配置される温度調整部との間で、熱の伝達経路を分離することができる。
【００１３】
上記生体関連情報計測装置において、第１基体は遮光性を有する材料で構成されていてもよい。これにより、第１基体で透過および反射する光を抑制して、受発光部で検知する信号のノイズを低減させることができる。
【００１４】
上記生体関連情報計測装置において、第１基体は計測部位を載置する凹部を有していてもよい。これにより、凹部に計測部位を載置して被検体を的確にホールドすることができる。
【００１５】
上記生体関連情報計測装置において、凹部は、深くなるに従い狭くなるテーパ形状を有していてもよい。これにより、計測部位を凹部に深く入れるに従い、被検体を確実にホールドすることができる。
【００１６】
上記生体関連情報計測装置において、計測部位と受発光部との接触を検知する検知部をさらに備え、温度調整部は検知部で接触を検知した際に温度調整を開始するよう設けられていてもよい。これにより、計測部位と受発光部とが接触した際に温度調整を開始することができる。
【００１７】
上記生体関連情報計測装置において、受発光部は、温度調整部での温度調整が開始されてから一定時間経過後に光の受発光を開始するよう設けられていてもよい。これにより、計測部位と受発光部とが接触して非計測部位の温度が調整され、一定時間経過後、計測部位が自然な血流循環になった状態で計測を行うことができる。
【００１８】
上記生体関連情報計測装置において、受発光部による計測開始から計測終了までの所定の段階において、被検体に物理的作用を加える通知部をさらに備えていてもよい。これにより、発光部から光を放出し、受光部で被検体を経由した光を受けて計測を行う場合、通知部から被検体に物理的作用が加えられることで、計測開始から計測終了までの所定の段階を利用者に認識させることができる。
【発明の効果】
【００１９】
本発明によれば、計測部位を自然な血流循環に近い状態にして精度の高い計測を行うことができる生体関連情報計測装置を提供することが可能になる。
【図面の簡単な説明】
【００２０】
【図１】第１実施形態に係る生体関連情報計測装置を例示する模式斜視図である。
【図２】（ａ）および（ｂ）は、センサモジュールを例示する模式図である。
【図３】センサモジュールの構成を例示するブロック図である。
【図４】（ａ）および（ｂ）は、計測動作を例示する模式断面図である。
【図５】（ａ）〜（ｃ）は、計測脈拍の例を示す図である。
【図６】第２実施形態に係る生体関連情報計測装置を例示する斜視図である。
【発明を実施するための形態】
【００２１】
以下、本発明の実施形態を図面に基づいて説明する。なお、以下の説明では、同一の部材には同一の符号を付し、一度説明した部材については適宜その説明を省略する。また、「上下」を示す記載は各部材間の相対的な位置関係を説明するために便宜的に用いているものであり、絶対的な位置関係を示すものではない。
【００２２】
（第１実施形態）
図１は、第１実施形態に係る生体関連情報計測装置を例示する模式斜視図である。
図２（ａ）および（ｂ）は、センサモジュールを例示する模式図である。
図３は、センサモジュールの構成を例示するブロック図である。
【００２３】
本実施形態に係る生体関連情報計測装置１は、例えば人体の皮膚（指など）に密着させて血液内の物質に関する情報の計測を行う装置である。本実施形態では、被検体Ｓの指Ｆの腹を計測部位として生体関連情報を推定する例を説明する。
【００２４】
図１に示すように、生体関連情報計測装置１は、センサモジュール１０と、温度調整部２０とを備える。センサモジュール１０は、基板１００に設けられた受発光部１５と、基板１００に設けられた制御部３０とを備える。なお、本実施形態では基板１００に制御部３０が設けられているが、制御部３０は外部機器に設けられていてもよい。
【００２５】
本実施形態では、指（例えば、人差し指）Ｆの腹を受発光部１５の受発光面１０ａに接触させて、受発光部１５から指Ｆの腹に向けて所定波長の光を放出し、指Ｆを経由した光を受ける。この受けた光に基づいて生体関連情報を推定する。
【００２６】
温度調整部２０は、計測部位以外の非計測部位の温度を調整する。本実施形態では、被検体Ｓの人差し指の腹を計測部位としているため、これ以外の部分、例えば手の中指、薬指、小指、掌などを温度調整部２０によって温度調整している。温度調整部２０には、化学的反応により発熱するもの（第１発熱体）、電気的作用により発熱するもの（第２発熱体）、および蓄熱体の少なくともいずれかが用いられる。
【００２７】
生体関連情報計測装置１において、センサモジュール１０は第１基体ＳＢ１に配置され、温度調整部２０は第２基体ＳＢ２に配置される。第１基体ＳＢ１および第２基体ＳＢ２はベース部ＳＢの上に配置される。ベース部ＳＢの上において、第１基体ＳＢ１と第２基体ＳＢ２とは互いに離間して配置される。このような配置により、本実施形態では、生体関連情報計測装置１に手を載せると、人差し指の腹がセンサモジュール１０の上に載せられ、手の中指から外側の部分が温度調整部２０の上に載せられるようになっている。センサモジュール１０が配置される第１基体ＳＢ１は、少なくともセンサモジュール１０が配置される部分について、遮光性を有する材料で構成されていることが好ましい。
【００２８】
温度調整部２０が非計測部位を加温する場合、被検体Ｓの手のうちの人差し指以外の部分（温度調整部２０の上に載せられた手の中指から外側の部分（中指、薬指、小指、掌など））が温められる。温度調整部２０によって非計測部位が加温されると、この加温によって計測部位（例えば、人差し指）の血流が増すことになる。すなわち、非計測部位の加温によって計測部位を直接温めなくても血流が増加して、自然に血流循環が良くなる。
【００２９】
生体関連情報計測装置１では、このように計測部位の血流循環が自然に良くなった状態でセンサモジュール１０の受発光部１５によって発光および受光を行う。これにより、計測部位を自然な血流循環に近い状態にして、高精度に生体関連情報を得ることができる。
【００３０】
生体関連情報計測装置１において、センサモジュール１０と温度調整部２０との間に断熱部６０を設けてもよい。断熱部６０は、温度調整部２０の熱が計測部位へ伝わることを効果的に阻止する役目を果たす。例えば、第１基体ＳＢ１と第２基体ＳＢ２との間に設けられた隙間（空間）を断熱部６０として利用する。この隙間によって、第１基体ＳＢ１に配置される受発光部１５と、第２基体ＳＢ２に配置される温度調整部２０との間で、熱の伝達経路を分離することができる。
【００３１】
また、この隙間に遮熱部材（図示せず）を埋め込んで断熱部６０としてもよい。隙間に遮熱部材が埋め込まれていることで、隙間による段差が発生せず、手を載置しやすくなる。このように、第１基体ＳＢ１と第２基体ＳＢ２との間に空間または遮熱部材を設けることで、第１基体ＳＢ１と第２基体ＳＢ２との間で直接熱が伝導せず、温度調整部２０による熱が直接センサモジュール１０へ影響を与えることを抑制することができる。
【００３２】
センサモジュール１０を設ける第１基体ＳＢ１には凹部ＳＢ１ｈを設けてもよい。凹部ＳＢ１ｈは、計測部位である指Ｆを載置しやすいように指Ｆの膨らみが入るような凹み形状に設けられている。凹部ＳＢ１ｈは、深くなるに従い狭くなるテーパ形状を有していてもよい。これにより、計測部位を凹部ＳＢ１ｈに深く入れることで、被検体Ｓを確実にホールドすることができるようになる。
【００３３】
センサモジュール１０には、通知部が設けられていてもよい。通知部は、受発光部１５による計測開始から計測終了までの所定の段階において、被検体Ｓに物理的作用を加える部分である。本実施形態では、基板１００の裏面側に通知部として押圧スイッチ２１０が設けられている。センサモジュール１０と押圧スイッチ２１０とは筐体５０に収納されている。センサモジュール１０の受発光面１０ａが筐体５０の表側に露出しており、基板１００と筐体５０の底部との間に押圧スイッチ２１０が配置される。
【００３４】
押圧スイッチ２１０はボタン２１０ａを有する。ボタン２１０ａは、押圧力が加わっていない状態では突出している。この突出しているボタン２１０ａによってセンサモジュール１０が筐体５０内で支持された状態となる。センサモジュール１０の受発光面１０ａを上から押圧すると、この押圧力によって押圧スイッチ２１０のボタン２１０ａが押し込まれる。このボタン２１０ａが押し込まれた分だけセンサモジュール１０は筐体５０内に押し込まれる。
【００３５】
押圧スイッチ２１０のボタン２１０ａが押し込まれる際、物理的作用の一例としてクリック感が発生する。このクリック感が被検体Ｓに伝わることになる。クリック感によって利用者は計測に適した押圧力になったことや、計測が開始されたことを感覚的に認識することができる。
【００３６】
（センサモジュールのブロック構成）
図３に示すように、センサモジュール１０は、一対の発光部１１と、一対の発光部１１の間に設けられた受光部１２とを有する受発光部１５を備える。センサモジュール１０には、制御部３０および入出力インタフェース部１４が設けられていてもよい。また、センサモジュール１０には温度測定部４０が設けられていてもよい。
【００３７】
発光部１１は、発光波長が８０６ｎｍ以上８５５ｎｍ以下の第１近赤外光を含む光を発光する第１発光素子１１ａ１を含む。また、発光部１１は、発光波長が７５５ｎｍ以上７６５ｎｍ以下、好ましくは７５８ｎｍ以上７６２ｎｍ以下の第２近赤外光を含む光を発光する第２発光素子１１ａ２を含んでいてもよい。第１発光素子１１ａ１および第２発光素子１１ａ２は、発光ダイオード素子やレーザ素子である。なお、本実施形態では発光部１１から第１近赤外光および第２近赤外光を放出するよう構成されるが、少なくとも第１近赤外光を放出するよう構成されていればよい。
【００３８】
受光部１２は、発光部１１から放出され被検体Ｓの血管を流れる血液を経由した第１近赤外光を受けて電気信号に変換する受光素子１２ａを有する。受光素子１２ａは、例えばフォトダイオードである。本実施形態では、受光素子１２ａは第１近赤外光のほか、第２近赤外光も受光して、その受光量に応じた電気信号を出力する感度を有する。
【００３９】
発光部１１と受光部１２とは一体となって受発光部１５を構成している。センサモジュール１０は、受発光部１５（発光部１１および受光部１２）、制御部３０、温度測定部４０および入出力インタフェース部１４をパッケージ化したものであってもよい。
【００４０】
発光部１１は、第１発光素子１１ａ１および第２発光素子１１ａ２をそれぞれ駆動するドライブ回路１１ｂを有する。また、受光部１２は、受光素子１２ａが出力する受光信号を増幅する増幅回路１２ｂを有する。これらの回路はチップ化されていてもよい。
【００４１】
制御部３０は、マイクロコンピュータで構成されている。制御部３０は、発光部１１のドライブ回路１１ｂにタイミング信号を送信して、第１発光素子１１ａ１および第２発光素子１１ａ２から近赤外光を発するように制御することができる。また、制御部３０は、演算部３１、メモリ３２およびタイマー３３を有する。
【００４２】
制御部３０は、内蔵のアナログ−デジタル変換回路を用いて、受光部１２の増幅回路１２ｂから出力された増幅後の受光信号を処理可能なデジタル形式の信号情報に変換する。演算部３１は、この変換された信号情報に基づいて、被検体Ｓの血管内を通る血液に関する情報を推定する。
【００４３】
メモリ３２は、推定した生体関連情報など、各種のデータを記憶する。タイマー３３は、センサモジュール１０の動作時間、すなわち生体関連情報の推定開始からの動作時間を計測する。入出力インタフェース部１４は、センサモジュール１０の外部との情報の入出力を行う。入出力インタフェース部１４には、コネクタや、外部機器（表示装置、記憶装置、ネットワーク）との通信を行う通信手段（無線通信、有線通信）などが含まれる。
【００４４】
このような構成を備えたセンサモジュール１０において、例えば、第１近赤外光を用いた計測では、被検体Ｓの血管内を通る血液のヘマトクリット（Ｈｃｔ）、血流の拍動、血流量、流速などを得ることができる。また、第１近赤外光および第２近赤外光の両方を用いた計測では、血中ヘモグロビン変化（Ｈｂ変化量）、血中酸素比率変化（酸素度）などを得ることができる。
【００４５】
ここで、酸素化ヘモグロビンおよび脱酸素化ヘモグロビンの吸光度は波長８０５ｎｍにおいて等しく、波長８０５ｎｍよりも長波長では酸素化ヘモグロビンの吸光度が脱酸素化ヘモグロビンの吸光度よりも大きく、波長８０５ｎｍよりも短波長では酸素化ヘモグロビンの吸光度が脱酸素化ヘモグロビンの吸光度よりも小さくなる。したがって、波長８０６ｎｍ以上８５５ｎｍ以下の第１近赤外光を含む光、好ましくは第１近赤外光の波長域に発光ピークを有する光を用いることで、酸素化ヘモグロビンを優先的に測定することができる。
【００４６】
そして、ヘモグロビンの量からヘマトクリット（Ｈｃｔ）を計測できることになる。本実施形態に係るセンサモジュール１０を用いた計測では、ヘマトクリット（Ｈｃｔ）を±１％以下の精度で計測することができる。また、センサモジュール１０では１０ミリ秒程度のサンプリングレートで計測できるため、血液に関する情報を連続的に得ることができる。
【００４７】
また、波長８０５ｎｍよりも短波長の光を含む光により測定を行うと、脱酸素化ヘモグロビンを優先的に測定することができる。そのような光として、波長７５５ｎｍ以上７６５ｎｍ以下（好ましくは７５８ｎｍ以上７６２ｎｍ以下）の第２近赤外光を含む光が例示され、第２近赤外光の波長域に発光ピークを有する光が好ましい光として例示される。そして、第１近赤外光を含む光による測定結果および第２近赤外光を含む光による測定結果から、血中酸素比率変化（酸素度）またはこれに関連する情報を導き出すことが可能である。
【００４８】
例えば、第１近赤外光を用いた計測では、被検体Ｓの血管内を通る血液のヘマトクリット（Ｈｃｔ）、血流の拍動、血流量、流速などを得ることができる。また、第１近赤外光および第２近赤外光の両方を用いた計測では、血中ヘモグロビン変化（Ｈｂ変化量）、血中酸素比率変化（酸素度）などを得ることができる。
【００４９】
温度測定部４０は、被検体Ｓなどの温度を測定する。測定した被検体Ｓの温度が所定の閾値を超えた場合、制御部３０は発光部１１からの光の放出を停止したり、計測を停止したりする。タイマー３３は、計測開始からの時間（計測時間）をカウントする。タイマー３３によってカウントした計測時間が所定の閾値を超えた場合、制御部３０は計測を停止するなどの処理を行う。
【００５０】
図４（ａ）および（ｂ）は、計測動作を例示する模式断面図である。
図４（ａ）には押圧前の状態が示され、図４（ｂ）には押圧後の状態が示される。
図示する例では、生体関連情報計測装置１に指（例えば、人差し指）Ｆを押し当てて計測を行っている。
【００５１】
図４（ａ）に示すように、指Ｆをセンサモジュール１０の受発光面１０ａに軽く接触させた状態では、押圧スイッチ２１０のボタン２１０ａは押し込まれない。ボタン２１０ａが押し込まれないと、動作モードは変化しない。例えば、計測は開始されない。
【００５２】
図４（ｂ）に示すように、指Ｆをセンサモジュール１０の受発光面１０ａに所定の力で押圧すると、押圧スイッチ２１０のボタン２１０ａが押し込まれ、センサモジュール１０も筐体５０内に押し込まれる。ボタン２１０ａが押し込まれることで押圧スイッチ２１０が閉状態になり、動作モードが変化する。例えば、センサモジュール１０による計測が開始される。
【００５３】
この際、押圧スイッチ２１０のボタン２１０ａの押し込みでクリック感が発生し、このクリック感が指Ｆに伝わる。これにより、被検者は指Ｆに伝わるクリック感によって動作モードが変化したこと（例えば、計測が開始されたこと）を認識することができる。言い換えると、指Ｆにクリック感が伝わらない状態では受発光面１０ａへの指Ｆの押圧力が足りていないことが分かり、被検者はクリック感を得られるまで指Ｆを押し当てることになる。
【００５４】
クリック感を得られる押圧力は押圧スイッチ２１０によって決定される。この押圧力は、指Ｆの腹と受発光面１０ａとの密着力が計測に適した力となっている。これにより、クリック感を得られるまで指Ｆを押し付けると、指Ｆと受発光面１０ａとが計測に適した状態で密着し、受光部１２で取り込んだ光から高精度に生体関連情報を推定することができるようになる。
【００５５】
本実施形態に係る生体関連情報計測装置１では、押圧スイッチ２１０を検知部として利用してもよい。指Ｆによってボタン２１０ａが押し込まれ、押圧スイッチ２１０が閉状態になった段階で計測部位が受発光部１５と接触したことを検知する。そして、押圧スイッチ２１０が閉状態になった際、温度調整部２０での温度調整を開始するよう制御部３０で制御してもよい。これにより、計測部位と受発光部１５とが接触した際に温度調整が開始される。計測部位と受発光部１５とが接触するまで温度調整部２０の動作を停止しておけば、消費電力の低減を図ることができる。
【００５６】
また、押圧スイッチ２１０が閉状態になって温度調整部２０での温度調整を開始した後、一定時間経過後に発光部１１からの光の放出および受光部１２での受光を開始するよう制御部３０で制御してもよい。これにより、計測部位と受発光部１５とが接触して非計測部位の温度が調整され、一定時間経過後、計測部位が自然な血流循環になった状態で生体関連情報の計測を行うことができる。
【００５７】
なお、上記では、押圧スイッチ２１０を検知部として利用する例を示したが、押圧スイッチ２１０とは別に、計測部位（例えば、指Ｆ）が受発光部１５と接触したこと、または接近したことを検知するセンサを設けておき、このセンサを検知部として利用するようにしてもよい。
【００５８】
例えば、受発光面１０ａにセンサを設けておき、指Ｆが受発光面１０ａに接触したことをセンサで検知するようにする。この段階で温度調整部２０での温度調整を開始する。その後、指Ｆが押圧スイッチ２１０のボタン２１０ａを押し込んでクリック感を発生させた段階で、受発光部１５による受発光を開始し、計測を行う。
【００５９】
これにより、指Ｆが受発光面１０ａに触れるとすぐに温度調整部２０が動作し、非計測部位の温度調整を行う。その後、指Ｆの押圧力によってボタン２１０ａが押し込まれ、クリック感が発生した状態で受発光および計測を開始する。計測を行う段階では、既に非計測部位の温度調整が開始されており、計測部位は自然な血流循環となっている。そして、計測を開始する際にはクリック感が得られる押圧力で計測部位と受発光面１０ａとが密着しているため、自然な血流循環と計測に適した押圧力とにより、高精度に生体関連情報を取得することができる。
【００６０】
図５（ａ）〜（ｃ）は、計測脈拍の例を示す図である。
図５（ａ）〜（ｃ）には、指先を計測部位としてセンサモジュール１０によって計測した脈波が示される。図５（ａ）〜（ｃ）における横軸は時間であり、縦軸は心拍の振れ値である。
【００６１】
図５（ａ）には、計測部位である指先が冷えた状態（加熱なし）で計測した脈波が示される。指先が冷えているため、計測開始（時間０）から時間ｔ１まで虚脈状態になっており、生体関連情報の推定は困難となっている。
【００６２】
図５（ｂ）には、非計測部位を加温した状態で計測した脈波が示される。非計測部位を加温することで、計測部位である指先の血流循環が良くなる。時間ｔ２から時間ｔ３はこの状態での脈波である。時間ｔ２から時間ｔ３に示す脈波であれば、生体関連情報の推定が可能である。この結果から、指先を直接加温せず、非計測部位を加温することで計測部位である指先の血流循環が改善され、生体関連情報の推定を行うことが可能となることが分かる。
【００６３】
図５（ｃ）には、非計測部位を加温し、さらに計測部位を受発光面１０ａに押圧した状態で計測した脈波が示される。押圧した状態とは、例えば押圧スイッチ２１０のボタン２１０ａをクリック感が発生するまで押し込んだ状態である。時間ｔ４から時間ｔ５に示す脈波のように、非計測部位を加温し、さらに計測部位を受発光面１０ａに押圧することで、計測部位である指先の血流循環の改善および計測に適した押圧力が得られ、脈波が安定することが分かる。これにより、図５（ｂ）に示す脈波よりもさらに高精度に生体関連情報の推定を行うことが可能となる。
【００６４】
（第２実施形態）
図６は、第２実施形態に係る生体関連情報計測装置を例示する斜視図である。
本実施形態に係る生体関連情報計測装置１Ｂは、被検体Ｓの１本の指Ｆにセンサモジュール１０と温度調整部２０とを配置できる構成になっている。センサモジュール１０は、第１基体ＳＢ１として一部に開口Ｈ１ｈが設けられた円筒型の第１保持部Ｈ１に配置されている。また、温度調整部２０は、第２基体ＳＢ２として一部に開口Ｈ２ｈが設けられた円筒型の第２保持部Ｈ２に設けられている。
【００６５】
指Ｆの先側を第１保持部Ｈ１の開口Ｈ１ｈから差し込むことで、指先にセンサモジュール１０が配置されることになる。また、指Ｆの付け根側を第２保持部Ｈ２の開口Ｈ２ｈから差し込むことで、第１保持部Ｈ１とは離間して第２保持部Ｈ２が取り付けられる。
【００６６】
第１保持部Ｈ１と第２保持部Ｈ２とは互いに独立していてもよいし、空間を介して設けられていてもよいし、間に断熱部６０を介して連結していてもよい。すなわち、第１保持部Ｈ１と第２保持部Ｈ２とは互いに直接熱が伝導しないように設けられる。このような第１保持部Ｈ１および第２保持部Ｈ２を指Ｆに取り付けることで、指Ｆにセンサモジュール１０および温度調整部２０を取り付けた状態を維持することができる。したがって、利用者はセンサモジュール１０および温度調整部２０によって動作に制限を受けず、センサモジュール１０および温度調整部２０を身に付けた状態で動き回ることもできる。
【００６７】
また、図６に示す例では、同じ指Ｆの付け根部分を非計測部位として温度調整し、ここを温度調整することで計測部位である指先の血流循環の改善を図っている。したがって、血流循環が改善された指先で高精度な生体関連情報の計測を行うことができる。
【００６８】
また、第１保持部Ｈ１と第２保持部Ｈ２とが互いに独立している場合には、第１保持部Ｈ１および第２保持部Ｈ２をそれぞれ異なる指Ｆに取り付けてもよい。
【００６９】
以上説明したように、本実施形態によれば、計測部位について直接温度調整することなく自然な血流循環に近い状態にすることができ、精度の高い計測を行うことが可能となる。
【００７０】
なお、上記に本実施形態を説明したが、本発明はこれらの例に限定されるものではない。例えば、温度調整部２０では非計測部位の加温を行う例を示したが、非計測部位の冷却を行ってもよい。また、温度調整部２０は、センサモジュール１０と隣り合う一方側だけでなく、左右両側に設けられていてもよい。また、前述の説明では被検体Ｓとして指Ｆの例を示したが、指Ｆ以外の部位（例えば、手首、腕、足首、胴、首、頭）であってもよい。また、前述の実施形態に対して、当業者が適宜、構成要素の追加、削除、設計変更を行ったものや、各実施形態の特徴を適宜組み合わせたものも、本発明の要旨を備えている限り、本発明の範囲に包含される。
【符号の説明】
【００７１】
１，１Ｂ…生体関連情報計測装置
１０…センサモジュール
１０ａ…受発光面
１１…発光部
１１ａ１…第１発光素子
１１ａ２…第２発光素子
１１ｂ…ドライブ回路
１２…受光部
１２ａ…受光素子
１２ｂ…増幅回路
１４…入出力インタフェース部
１５…受発光部
２０…温度調整部
３０…制御部
３１…演算部
３２…メモリ
３３…タイマー
４０…温度測定部
５０…筐体
６０…断熱部
１００…基板
２１０…押圧スイッチ
２１０ａ…ボタン
Ｆ…指
Ｈ１…第１保持部
Ｈ１ｈ…開口
Ｈ２…第２保持部
Ｈ２ｈ…開口
Ｓ…被検体
ＳＢ…ベース部
ＳＢ１…第１基体
ＳＢ１ｈ…凹部
ＳＢ２…第２基体
【図１】
2019063308.tif 000003
【図２】
2019063308.tif 000004
【図３】
2019063308.tif 000005
【図４】
2019063308.tif 000006
【図５】
2019063308.tif 000007
【図６】
2019063308.tif 000008